【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
情報エレメントの境界を検出する方法であって、反復符号化された信号が受信され、それは情報エレメントで変調され、１群のシンボルが１つの情報エレメントを形成する方法において少なくとも、
受信された信号に基づいて基準値が形成されるフィルタリング・ステップと、
少なくとも１つのベクトルが前記基準値から形成され、そのベクトルでは、エレメントの数は前記情報エレメントの伝送に使用されるシンボルの数と一致するベクトル形成ステップと、
前記少なくとも１つのベクトルに基づいて決定ベクトルが形成されるベクトル処理ステップと、
前記決定ベクトルのエレメントの最大値が探され、このエレメントのインデックスは前記情報エレメントの境界を示すために使用される決定ステップと、を具備することを特徴とする方法。
【請求項２】
前記ベクトル形成ステップにおいて少なくとも２つのベクトルが形成され、前記ベクトル処理ステップにおいて前記少なくとも２つのベクトルの対応部分エレメント同士を合成することによって前記決定ベクトルが形成されることを特徴とする請求項１に記載の方法。
【請求項３】
積分値を形成するために、受信された信号が１シンボル長の積分期間で積分され、当該積分値は前記フィルタリング・ステップにおいて低域通過フィルタリングされて基準値を形成することを特徴とする請求項１または２に記載の方法。
【請求項４】
前記ベクトル形成ステップで使用される、符号を伴わない基準値を形成するために該基準値の絶対値が取られることを特徴とする請求項１，２または３のいずれか一項に記載の方法。
【請求項５】
前記決定ステップにおいて、前記最大値に対応する前記エレメントに隣接する少なくとも１つのエレメントの値が同程度の大きさであるか否かが調べられ、前記情報エレメントの境界が補間により推論され、さもなければ前記情報エレメントの境界は前記最大値のインデックスにより推論されることを特徴とする請求項１〜４のいずれか一項に記載の方法。
【請求項６】
前記補間において、前記最大値は、それに隣接するエレメントの少なくとも１つの値と共に使用されることを特徴とする請求項５に記載の方法。
【請求項７】
移動加算が低域通過フィルタリングとして使用され、所定数の積分値を加算することにより符号を伴わない各基準値が形成され、符号を伴わない各基準値の形成に部分的に異なる積分値が使用されることを特徴とする請求項３〜６のいずれか一項に記載の方法。
【請求項８】
１情報エレメントの伝送に使用されるシンボル数と一致する数の積分値が各基準値に加算され、第１基準値は第１積分値から始まることにより形成され、第２基準値は第２積分値から始まることにより形成され、第３基準値は第３積分値から始まることにより形成され、前記基準値は、所定数（Ｋ）の基準値が形成されるまで形成されることを特徴とする請求項７に記載の方法。
【請求項９】
２つ以上の反復符号化された信号が同時に受信され、信号固有の積分値を形成するために積分が各信号について実質的に同時に実行されることとなるように受信された信号が１シンボルの大きさの積分期間で積分され、各信号固有の積分値のサンプルを採取することにより信号固有の基準値が形成され、数個の信号固有積分値が計算窓を形成し、各フィルタリング・ステップにおいて信号固有の基準値の形成に１つの情報エレメントの伝送に使用されるシンボルの数と一致する数の信号固有積分値が使用され、前記積分値の少なくとも半分は前記基準値に対応する計算窓に属することを特徴とする請求項７または８に記載の方法。
【請求項１０】
衛星測位システムの衛星（ＳＶ１〜ＳＶ４）から送信される信号が受信されることを特徴とする請求項１〜９のいずれか一項に記載の方法。
【請求項１１】
使用される情報はバイナリー情報であり、１ビットが１情報エレメントを形成することを特徴とする請求項１〜１０のいずれか一項に記載の方法。
【請求項１２】
情報エレメントで変調されている反復符号化されている信号を受信するための受信装置（ＰＲ）を備えるシステムであって、１情報エレメントを転送するために１群のシンボルが使用されており、前記受信装置（ＰＲ）は、受信された信号から前記情報エレメントの境界を決定するための手段（ＩＮＴ）を備えているシステムにおいて、更に少なくとも、
受信された信号に従って基準値を形成するためのフィルタリング手段（ＭＡ、ＡＢＳ）と、
前記基準値の少なくとも１つのベクトルを形成するためのベクトル形成手段（ＣＯＮＶ）であって、前記少なくとも１つのベクトルではエレメントの数は前記情報エレメントの伝送に使用されるシンボルの数と一致するベクトル形成手段（ＣＯＮＶ）と、
前記少なくとも１つのベクトルに基づいて決定ベクトルを形成するためのベクトル処理手段（ＡＶＧ）と、
前記決定ベクトルの最大のエレメントを探すための決定手段（ＤＥＴ）であって、該エレメントのインデックスは前記情報エレメントの境界を示すために使用されるようになっている決定手段（ＤＥＴ）と、を備えていることを特徴とするシステム。
【請求項１３】
少なくとも２つのベクトルが前記ベクトル形成手段（ＣＯＮＶ）で形成され、前記決定ベクトルは、前記少なくとも２つのベクトルの対応部分エレメント同士を結合することによって前記ベクトル形成手段（ＡＶＧ）で形成されるようになっていることを特徴とする請求項１２に記載のシステム。
【請求項１４】
積分値を形成するために受信された信号を１シンボルの積分期間で積分するための手段（ＩＮＴ）と、前記積分期間で形成された前記積分値を低域通過フィルタリングするための手段（MA）とを含むことを特徴とする請求項１２または１３に記載のシステム。
【請求項１５】
前記フィルタリング手段（ＭＡ、ＡＢＳ）は、前記基準値の絶対値を使用することにより符号を伴わない基準値を形成するための手段（ＡＢＳ）を備えることを特徴とする請求項１２，１３または１４のいずれか一項に記載のシステム。
【請求項１６】
前記決定手段（ＤＥＴ）は、最大値を伴うエレメントと前記エレメントに隣接する値とを比較するための手段（９）を備えており、前記最大値に対応するエレメントに隣接する少なくとも１つのエレメントの値が同程度であるならば、前記情報エレメントの境界は補間により推論され、さもなければ前記情報エレメントの境界は前記最大値のインデックスに基づいて推論されるようになっていることを特徴とする請求項１２〜１５のいずれか一項に記載のシステム。
【請求項１７】
前記補間には、前記最大値と、少なくとも同程度の大きさの１つの隣接するエレメントの値が使用されるようになっていることを特徴とする請求項１６に記載のシステム。
【請求項１８】
前記フィルタリング手段（ＭＡ、ＡＢＳ）は基準値のために移動加算を実行するための手段（ＭＡ）を備えており、符号を伴わない各基準値は所定数の積分値を加算することによって形成されるようになっており、符号を伴わない各基準値の形成には部分的に異なる積分値が使用されるようになっていることを特徴とする請求項１３〜１７のいずれか一項に記載のシステム。
【請求項１９】
反復符号化された信号を送る衛星（ＳＶ１〜ＳＶ４）を備える衛星測位システムであることを特徴とする請求項１２〜１８のいずれか一項に記載のシステム。
【請求項２０】
情報エレメントで変調されている反復符号化されている信号を受信するための受信装置（ＰＲ）を備える電子装置（ＭＳ）であって、その信号では１つの情報エレメントを転送するために１群のシンボルが使用されており、前記受信装置（ＰＲ）は、受信された信号から前記情報エレメントの境界を決定するための手段を備えた電子装置（ＭＳ）において、
前記受信された信号に基づいて基準値を形成するためのフィルタリング手段（ＭＡ、ＡＢＳ）と、
前記基準値の少なくとも１つのベクトルを形成するためのベクトル形成手段（ＣＯＮＶ）であって、前記少なくとも１つのベクトルではエレメントの数は前記情報エレメントの伝送に使用されるシンボルの数と一致するベクトル形成手段（ＣＯＮＶ）と、
前記少なくとも１つのベクトルに基づいて決定ベクトルを形成するためのベクトル処理手段（ＡＶＧ）と、
前記決定ベクトルの最大のエレメントを探すための決定手段（ＤＥＴ）であって、前記エレメントのインデックスは前記情報エレメントの境界を示すために使用されるようになっている決定手段（ＤＥＴ）と、を備えることを特徴とする電子装置。
【請求項２１】
少なくとも２つのベクトルが前記ベクトル形成手段（ＣＯＮＶ）で形成され、前記決定ベクトルは前記少なくとも２つのベクトルの対応部分エレメント同士を結合させることによって前記ベクトル処理手段（ＡＶＧ）で形成されるようになっていることを特徴とする請求項２０に記載の電子装置。
【請求項２２】
積分値を形成するために受信された信号を１シンボルの大きさの積分期間で積分するための手段（ＩＮＴ）と、前記積分期間で形成された積分値を低域通過フィルタリングするための手段（ＭＡ）とを備えることを特徴とする請求項２０または２１に記載の電子装置。
【請求項２３】
前記フィルタリング手段（ＭＡ、ＡＢＳ）は、前記基準値の絶対値を使用することにより符号を伴わない基準値を形成するための手段（ＡＢＳ）を備えることを特徴とする請求項２０，２１または２２のいずれか一項に記載の電子装置。
【請求項２４】
前記決定手段（ＤＥＴ）は、最大値を伴うエレメントと前記エレメントに隣接する値とを比較するための手段（９）を含み、前記最大値に対応するエレメントに隣接する少なくとも１つのエレメントの値が同程度の大きさであるならば、前記情報エレメントの境界は補間により推論されるようになっており、その他の場合には前記情報エレメントの境界は前記最大値のインデックスに基づいて推論されるようになっていることを特徴とする請求項２０〜２３のいずれか一項に記載の電子装置。
【請求項２５】
前記補間において、前記最大値と、少なくとも１つの同程度のエレメントの値とが使用されるようになっていることを特徴とする請求項２４に記載の電子装置。
【請求項２６】
前記フィルタリング手段（ＭＡ、ＡＢＳ）は基準値のために移動加算を実行するための手段（ＭＡ）を備えており、符号を伴わない各基準値は所定数の積分値を加算することによって形成されるようになっており、符号を伴わない各基準値の形成には部分的に異なる積分値が使用されるようになっていることを特徴とする請求項２０〜２５のいずれか一項に記載の電子装置。
【請求項２７】
前記受信装置（ＰＲ）は衛星測位受信装置であることを特徴とする請求項２０〜２６のいずれか一項に記載の電子装置。
【請求項２８】
移動局の機能を実行するための手段を備えることを特徴とする請求項２０〜２７のいずれか一項に記載の電子装置。
【手続補正２】
【補正対象書類名】明細書
【補正対象項目名】００１７
【補正方法】変更
【補正の内容】
【００１７】
正確な測位のために、現実のＧＰＳ時刻がどれだけ正確に受信装置に知られるかということが非常に重要である。実際には、ＧＰＳ時刻は測位計算後に定められることができ、そのとき受信装置のＧＰＳ時刻に関しての時計誤差が決定される。しかし、正に最初の測位計算では、現実のＧＰＳ時刻は受信装置に必ずしも知られていないので、ＧＰＳ時刻の推定が使用されることができる。時点ｋで推定されるＧＰＳ時刻は、次の式に従う３つの時刻エレメントの測定に基づいて導出されることができる。
ＴjGPS(k)＝ＴjTOW(k)＋Ｔjms(k)＋Ｔjchip(k)＋0.078            （１）
ここで
ＴjTOW(k)＝最後に受信されたサブフレームに含まれている秒単位の時刻データ（週の時刻）、
Ｔjms(k)＝最後に受信されたサブフレームの始まりの後に受信されたＣ／Ａエポックの数に対応する秒単位の時刻、
Ｔjchip(k)＝エポックの最後の変更の後に受信された全てのチップの数（０から１０２２まで）と符号位相とに対応する秒単位の時刻、
j＝受信チャネル・インデックス、
である。